(57)【特許請求の範囲】
【請求項１】
映像再生装置において、
静止画ファイル及び／または動画ファイルを記録する記録媒体と接続可能であって、該記録媒体に記録された静止画ファイル及び／または動画ファイルが入力されるインターフェイス部と、
前記インターフェイス部に入力された静止画ファイル及び／または動画ファイルを再生して表示部に表示させる処理部と、を備え、
前記処理部は、前記静止画ファイルに対応する複数のサムネイル画像の一覧を表す第１インデックス画面と、前記動画ファイルに対応する複数のサムネイル画像の一覧を表す第２インデックス画面とを生成して前記表示部に表示可能であり、
前記第１または第２インデックス画面の背景画像が、前記サムネイル画像の垂直方向の間隔よりも狭い横縞模様を含むことを特徴とする映像再生装置。
【請求項２】
請求項１に記載の映像再生装置において、前記横縞模様を含む背景画像の平均輝度レベルが、前記第１または第２インデックス画面で表示されるサムネイル画像の平均輝度レベルに応じて制御されることを特徴とする映像再生装置。
【請求項３】
請求項１に記載の映像再生装置において、前記横縞模様を含む背景画像の平均輝度レベルが、前記サムネイル画像の平均輝度レベルの±１０％以下となるように制御されることを特徴とする映像再生装置。
【発明の詳細な説明】
【技術分野】
【０００１】
本発明は、例えばメモリカードなどの、着脱可能な記録媒体に記録された静止画ファイル及び／または動画ファイルを再生して表示させることが可能な映像再生装置に関する。
【背景技術】
【０００２】
映像再生装置は、着脱可能な記録媒体に記録された静止画ファイル及び／または動画ファイルを再生する機能を備えるものが存在する。この記録媒体には、例えばデジタルスチルカメラやＰＣ等の記録装置によって、種々のフォーマット（例えば、JPEG、MPEG等）で上記動画／静止画ファイルが記録される。下記特許文献１，２は、映像再生装置で再生可能なフォーマットが記録媒体に記録された動画／静止画ファイル(以下、これらを画像ファイルと呼ぶ場合もある)のフォーマットと一致または対応しない場合、その旨を画面上に表示するための技術を開示する。
【０００３】
【特許文献１】特開２００５−７０８５８号公報
【特許文献２】特開２００４−２１５２８１号公報
【発明の開示】
【発明が解決しようとする課題】
【０００４】
ところで、画像ファイル、特に動画ファイルは、映像と音声の２つのフォーマットで構成されている場合が多い。従って、映像再生装置がどちらか一方のフォーマットのみに対応している場合もある。上記特許文献１及び２は、このような場合を考慮していないため、動画ファイルの映像と音声のいずれか一方のフォーマットが装置側のフォーマットと対応していない場合、一括して無効とされて詳細な対応状況が明示されない可能性がある。このため、映像あるいは音声のフォーマットの一方が装置側のフォーマットと対応していても、両方とも再生されない可能性も生じる。
【０００５】
また上記特許文献１及び２は、動画／静止画ファイルのインデックス画面を、例えばテレビジョン映像などの他の映像との切り替えを容易に行うことについても考慮されていない。更に、インデックス画面をより見易くすることについても考慮されていない。
【０００６】
本発明は、上記した事情に鑑みてなされたもので、その第１の目的は、画像ファイルに音声データが付加されている場合でも、良好に動画及び音声の再生を行うことが可能な技術を提供することにある。
【０００７】
また本発明の第２の目的は、動画／静止画ファイルのインデックス画面と、他の映像との切り替えを容易に行うことが可能な技術を提供することにある。
【０００８】
更に本発明の第３の目的は、より見易いインデックス画面を表示可能な技術を提供することにある。
【課題を解決するための手段】
【０００９】
上記第１の目的を達成するための、本発明の第１の構成は、静止画ファイル及び／または動画ファイルとともに音声が再生可能か否かを示す情報を、前記サムネイル画像に付加して表示可能にしたことを特徴とする。また静止画ファイル及び／または動画ファイルのフォーマットが映像再生部で対応可能なフォーマットでない場合に、サムネイル画像に代えて、当該静止画ファイル及び／または動画ファイルが再生不可であることを示すアイコンを表示してもよい。
【００１０】
また上記第２の目的を達成するための、本発明の第２の構成は、その映像再生装置を操作するためのリモコン装置に切替操作部を設け、複数の静止画サムネイルが表示される第１インデックス画面と、複数の動画サムネイルが表示される第２インデックス画面と、通常映像(例えばテレビジョン映像など)を、前記リモコン装置の切替操作部を連続的に操作することにより、順次切替可能にしたことを特徴とする。この切換操作部は、上記順次切換専用の単一の切替ボタンであってもよい。
【００１１】
更に、上記第３の目的を達成するための、本発明の第３の構成は、複数の静止画サムネイルが表示される第１インデックス画面、または複数の動画サムネイルが表示される第２インデックス画面の背景画像が、前記サムネイル画像の垂直方向の間隔よりも狭い横縞模様を含むことを特徴とする。この横縞模様を含む背景画像の平均輝度レベルが、前記第１または第２インデックス画面で表示されるサムネイル画像の平均輝度レベルに応じて制御されてもよい。また、前記横縞模様を含む背景画像の平均輝度レベルが、約４０％であってもよい。
【発明の効果】
【００１２】
上記本発明の第１の構成によれば、動画ファイルの映像と音声のいずれかのフォーマットが装置側と対応していない場合であっても、その対応状況を明示して、対応した一方のフォーマットの映像あるいは音声の再生を行うことが可能となる。
【００１３】
また上記本発明の第２の構成によれば、単一の操作で第１インデックス画面、第２インデックス画面及び通常映像が順次切換可能となるので、これらの切換操作が容易になる。
【００１４】
更に上記本発明の第３の構成によれば、複数のサムネイル画像を表示することによる横縞が目立ちづらくなり、インデックス画面がより見やすくなる。
【発明を実施するための最良の形態】
【００１５】
以下、本発明の実施形態について、図面を参照しながら詳細に説明する。
【００１６】
本実施形態に係る映像再生装置に係わる記録媒体とは、着脱可能なフラッシュメモリを搭載したメモリカード、光ディスク（ＣＤ−Ｒ，ＣＤ−ＲＷ，ＤＶＤ−ＲＡＭ，ＤＶＤ±Ｒ,ＤＶＤ±ＲＷ）や、ＵＳＢインターフェイス、ＩＥＥＥ１３９４仕様に準拠したＩＥＥＥ１３９４インターフェイス（所謂ＤＶ端子）などを介して接続されたメモリーカードリーダーやリムーバブルなＨＤＤ等である。そして記録媒体は、デジタルカメラやパソコン等の記録機器により動画ファイルや静止画ファイルが記録されるとともに、これらの記録機器により再生可能にされる。
【００１７】
また本実施形態に係る映像再生装置は、メモリーカードインターフェイス、ＵＳＢインターフェイス、及びＣＤやＤＶＤ等光ディスクドライブ等の記録媒体とのアクセスするためのインターフェイス部を内蔵している。そして、このインターフェイス部によって、記録媒体に記録されているファイルが直接的に制御される。本実施形態に係る映像再生装置は、例えばＰＤＰＴＶやＬＣＤＴＶ、プロジェクションＴＶ等のテレビジョン受像機に内臓、もしくはテレビジョン受像機と一体的構成されるものであってもよい。更に、例えば本実施形態に係る映像再生装置は、上記インターフェイス部以外に、例えばＤＶＤプレーヤー等の外部記録再生装置で生成された映像信号が入力される入力部を備えるものであってもよい。
【００１８】
また、以下の本実施形態の説明では、デジタルカメラなどの記録機器と接続されるインターフェイスとして、ＵＳＢインターフェイスを例にして説明するが、これに限られるものではない。例えば、上述したように、ＩＥＥＥ１３９４インターフェイスを用いて上記記録機器と接続してもよい。
【実施例１】
【００１９】
図１は、実施例１に係る映像再生装置の一構成例を示す概略ブロック図である。図１において、映像再生装置１は、例えば赤外線を用いたリモートコントローラ（以下、「リモコン」と省略する）３０から送信されたリモートコントロール信号（以下、「リモコン信号」と省略）２９によって操作される。赤外線受光部２０はリモコン信号２９を受けると、電気信号に変換して、バスライン１８を介してメイン処理部１０に出力する。メイン処理部１０はＣＰＵ（Central Processing Unit）を含む演算制御装置で、受信したリモコン信号に基づいて、図示しないメモリに格納されたプログラムに従い、必要に応じて映像再生装置１を構成する各構成要素を制御して、所定の処理を行う。
【００２０】
映像再生装置１は、図示しない外部の記録機器（例えばデジタルビデオカメラやデジタルカメラ）で記録された画像データが入力される、ＵＳＢ入力端子２、図示しないメモリカード３の装着機構、及び光ディスクのドライブ部４を有している。まず、これらの再生機能のブロック構成について説明する。なお、ＵＳＢ入力端子２からの画像データ，メモリカードに記録された画像データ，光ディスクに記録された画像データは、一般にファイル単位で構成されているので、以下では、画像データを単に「画像ファイル」と呼ぶものとする。また、ＵＳＢ入力も記録媒体に記録された画像ファイルである。このため、以下では、便宜上、ＵＳＢ入力も含めメモリカードや光ディスクを纏めて「記録媒体」と呼ぶものとする。
【００２１】
インターフェイス部（以下、「Ｉ／Ｆ部」と省略）５は、第１インターフェイス部であるメモリインターフェイス、第２インターフェイス部であるＵＳＢインターフェイス，第３インターフェイス部である光ディスクドライブ部４のインターフェイスを含む。そして、メモリカード３，光ディスクドライブ部４から読み出された画像ファイルやＵＳＢ入力端子２から入力された画像ファイルは、Ｉ／Ｆ部５によって、バスライン１８を介してメモリ９に格納される。
【００２２】
なお、本実施例では、ＵＳＢとメモリカードと光ディスクの内、最後に装着された記録媒体からの画像ファイルが選択されるものとしている。通常、これらの記録媒体は同時に装着されることはないので、このようにしても、特に支障をきたすことはない。また、光ディスクには、所謂ＡＶソフトも含まれていてもよいが、ここでは説明を容易とするために、ＡＶソフトについては特に考慮しないものとする。
【００２３】
メイン処理部１０は、メモリ９に格納された画像ファイルのフォーマットを解析して、映像再生装置１で再生可能なフォーマットに一致もしくは対応しているか否か、またデコーディングできるか否かを判断する機能を有している。ここで、画像ファイルのフォーマットとは、例えばJPEG、MPEG1、MotionJpeg、MPEG4等がある。そして、その判定結果に基づいて、画像復号処理部６およびＯＳＤ付加部８を制御し、サムネイル画像の一覧表示であるインデックス表示を行わせる（詳細は後述する）。
【００２４】
画像復号処理部６は、メイン処理部１０の制御の基で、画像ファイルの復号処理を行うとともに、例えばメモリカード３に記録されている複数の画像ファイルの一覧表示（インデックス表示）を行うための各サムネイル画像を作成する。そして、メイン処理部１０からの指示により、各サムネイル画像の一覧表示画面であるインデックス画面を作成する。インデックス画面は、後述するように、静止画ファイルに対応する複数のサムネイル画像の一覧を表す第１インデックス画面と動画ファイルに対応する複数のサムネイル画像の一覧を表す第２インデックス画面とを含む。画像ファイルが動画の場合、動画の内の代表画像を選定し、該代表画像をサムネイル画像とする。なお、代表画像を選定する技術は公知であるため、その詳細な説明については省略する
【００２５】
ＯＳＤ付加部８は、メイン処理部１０の制御の基で、再生画像に付加する所定のアイコン画像や文字情報を生成する。
【００２６】
映像/音声出力部７は、画像復号処理部６で復号されたデジタル復号信号から例えばＹ，Ｃｂ，Ｃｒの映像信号と音声信号を生成する。また、該映像信号にＯＳＤ付加部８からのアイコン画像を重畳させ、インデックス画面とする。
【００２７】
映像/音声出力部７から出力された映像/音声信号は、入力切替ＳＷ２１を介して映像処理部２２に供給される。
【００２８】
映像処理部２２は、映像表示部２３で表示できるように所定の映像処理を行うとともに、ＯＳＤ付加部８からのアイコン画像や文字情報を重畳させ、映像表示部２３に出力する。
【００２９】
また、映像再生装置は、ＴＶ放送の受信機能や例えばＶＴＲなどの複数の外部入力を有している。次に、この部分のブロック構成について説明する。なお、図１では、図示を簡単とするために外部入力線を一つとしているが、外部入力線が複数で構成されていることはいうまでもない。
【００３０】
アンテナ１１で受信されたテレビジョン放送信号の内、例えばリモコン３０によるユーザー操作に基づくメイン処理部１０の制御で、所定の放送信号がチューナ部１３で選局される。選局された放送信号は復調された後に入力切替ＳＷ１４に出力される。入力切替ＳＷ１４は、チューナ部１３からの入力と外部入力端子１２からの複数の外部入力とを切り替えて、デコード処理部１５に出力する。デコード処理部１５は入力された映像信号に対して、例えばＹ，Ｃｂ，Ｃｒの映像信号に変換して、入力切替ＳＷ２１に出力する。入力切替ＳＷ２１はデコード処理部１５からの入力と、映像/音声出力部７からの入力とを切り替えて、映像処理部２２に出力する。
【００３１】
以下、本実施例の特徴である、記録媒体に記録されている画像ファイルのインデックス表示処理について、図２〜図６を用いて説明する。図２と図３は本実施例によるインデックス表示処理のフローを示す図で、図４は本実施例による画像ファイルに対するフォーマットの分類を説明する図である。また、図５は本実施例による第１インデックス画面である静止画インデックス画面、図６は本実施例による第２インデックス画面である動画インデックス画面である。
【００３２】
まず、図４で画像ファイルのフォーマットによる分類について説明する。
【００３３】
画像ファイルには、静止画の画像ファイル（静止画ファイル）と動画の画像ファイル（動画ファイル）がある。一般に、インデックス表示（サムネイル表示）する際、静止画のインデックス画面と動画のインデックス画面とに分けて表示する場合と、静止画，動画混在のインデック画面を表示する場合がある。本実施例では、前者の構成のインデックス画面を用いており、以下では、このような構成のインデックス画面について説明する。通常、大部分のファイルは拡張子を有しており、この拡張子を用いればそのファイルの形式（フォーマット）を知ることができる。そこで、画像ファイルの拡張子を用いて静止画ファイルと、動画ファイルとに大分類する。本実施例では、静止画の拡張子としてJPGを想定し、動画の拡張子としてAVI，MOV，MPG，ASF，MP4等を想定している。なお、本実施例はこれに限定されるものではなく、その他の拡張子を含んでいてもよいことはいうまでもない。
【００３４】
また、動画は音声を有するものと、そうでないものとがある。そこで、音声の有無を判別する必要がある。そこで、例えばファイルデータを解析し、ヘッダ情報に基づき、あるいはデータにオーディオ相当部分が含まれるか否かで音声の有無を判別する。
【００３５】
図４（１）において、符号１０３，１０４は静止画ファイルに対するサムネイル画像である。本実施例では、拡張子JPGのJPEGの静止画ファイルを想定しており、通常デジタルカメラで記録されたものではデコーディング可能である。そこで、ここでは説明を容易とするために、JPEGの静止画ファイルはデコーディングできるものとする。
【００３６】
図４（２）は動画ファイルに対する分類である。動画ファイルは、動画データの画像ファイルと音声データの音声ファイルとを含み、これらのファイルに対するフォーマットの組合せで動画ファイルは５つに分類することができる。すなわち、第１は、図４（２−１）に示すように、映像再生装置で映像，音声とも表示可能，デコーディング可能なフォーマットである。この場合のサムネイル画像を符号２０３で示す。第２は、図４（２−２）に示すように、映像はデコーディングできるが、音声がないフォーマットである。この場合のサムネイル画像を符号２０５で示す。第３は、図４（２−３）に示すように、音声のみデコーディングできないものである。この場合のサムネイル画像を符号２０４で示す。第４は、図４（２−４）に示すように、映像再生装置で映像がデコーディングできないものである。この場合のサムネイル画像を符号２０６で示す。第５は、図４（２−５）に示すような映像再生装置で想定してないフォーマットである。この場合のサムネイル画像を符号２０７で示す。但し、本実施例ではサムネイル表示されない。
【００３７】
なお、本実施例では、分類（２−４）では、映像がデコーディングできないとしたが、この分類には音声はデコーディングできる場合と音声もデコーディングできない場合とさらに分類できるが、ここでは映像再生ができなければ意味ないと考えて本実施例のようにしている。勿論、詳細に分類してもよい。
【００３８】
これらの分類方法を用いたインデックス表示処理について、図２，図３のフローを用いて、図１，図４，図５，図６を参照しながら説明する。なお、以下では、説明を容易とするために、表示可能な静止画ファイルと動画ファイル数が、それぞれ図５，図６に示すように１６以下であるものとする。しかし、本実施例はこれに限定されるものではない。
【００３９】
図２において、メイン処理部１０は、ユーザー操作により、例えばメモリカード３が図示しない装着機構に装着されると、メモリカード３からＩ/Ｆ部５を介して、それに記録されている画像ファイルをメモリ９を用いて逐次読み出す。さらのその読み出した画像ファイルから、サムネイル表示処理及びインデックス画面の生成処理を開始する。インデックス表示処理を開始すると、まず、ステップ（以下、「Ｓ」と省略する）１で画像ファイルの拡張子を取得し、Ｓ２で、想定したファイルフォーマットであるかをすべての画像ファイルについて判定する。Ｎｏの画像ファイルがあればＳ３で該画像ファイルの表示を禁止する。Ｓ２で全ての画像ファイルに対する判定処理が終了すると、Ｓ４に進む。Ｓ４では、有効な画像ファイルに対してのみ、各フォルダ及び各ファイル名でソートして、メモリ９に格納する。次に、Ｓ５で、メイン処理部１０は、メモリ９の有効な画像ファイルに対して、順にその拡張子を読み出し、静止画か動画であるかを判定する。動画の場合には、Ｓ６で、その画像ファイルに動画に対応したＮｏ．（以下、「ファイルＮｏ.」と称する）を順に対応させ、ファイル名と該ファイルに対応するファイルＮｏ.とをメモリ９に対応させて格納する。Ｓ５で静止画であればＳ７で同様な処理を行う。そして、Ｓ８で有効な全画像ファイルに対して動画か静止画であるかの判定が終了したかチェックする。ＮｏであればＳ５に戻り、動画・静止画判定処理を継続する。Ｓ８でＹｅｓ（以下、「Ｙ」と省略する）であれば、動画・静止画判定処理を終了し、図３のＳ２０に進む。Ｓ８で有効な全画像ファイルに対して判定が完了すると、メモリ９に、静止画ファイルのグループと動画のファイルのグループとが順に分類されて登録されたことになる。
【００４０】
図３のＳ２０では、ユーザー操作により選択されたインデックス画面のモードが静止画のインデックス画面か動画のインデックス画面であるかチェックする。通常初期設定では静止画のインデックス画面モードが設定される。この場合、動画のインデックス画面モードとするには、例えばリモンコン上に設けられた、後述する切替ボタンを押下して静止画から動画のインデックス画面モードに切り替える。
【００４１】
Ｓ２０で静止画のインデックス画面表示モードが設定されていれば、Ｓ２１に進む。メイン処理部１０は、Ｓ２１で、インデックス画面に１インデックス画面分のサムネイル個数をセットする。ここではインデックス画面に表示されるサムネイル個数は１６個であり、説明を容易とするために、ファイル数は１６個より少ないものとする。そしてＳ２２で、インデックス画面に表示される各サムネイル画像に対応する静止画のファイルＮｏ.を順次指定して、画像復号処理部６でサムネイル画像を作成させ、メモリ９に逐次格納し、Ｓ２３でインデックス画面分のサムネイルを作成したか判定する。Ｓ２３でＮであれば、Ｓ２２に戻り、Ｙであれば、インデックス画面分のサムネイルを作成したことになるので、Ｓ４２に進む。Ｓ４２では、メイン処理部１０は、メモリ９に格納されているサムネイル画像を画像復号処理部６に供給し、映像/音声出力部７，入力切替ＳＷ２１，映像処理部２２を介して映像表示部２３に例えば図５に示すような静止画インデックス画面１０１の表示を行う。このとき、メイン処理部１０は、ＯＳＤ付加部８に静止画アイコン１０２を重畳させるように指示し、ＯＳＤ付加部８は、映像/音声出力部７で静止画アイコン１０２を重畳させる。
【００４２】
Ｓ２０で動画のインデック画面モードが設定されていれば、Ｓ３１に進む。メイン処理部１０は、Ｓ３１で、インデックス画面に１インデックス画面分のをサムネイル個数をセットする。ここではインデックス画面に表示されるサムネイル個数は１６個であり、説明を容易とするために、ファイル数は１６個より少ないものとする。次に、インデックス画面に表示される各サムネイル画像に対応する動画のファイルＮｏ.を指定して、メイン処理部１０で該画像ファイルのストリームがデコーディング可能か判定する（Ｓ３２）。Ｓ３２で、デコーディング不可であれば、「デコーディング不可」の情報（ステータス情報）を該画像ファイルＮｏ．に対応させてメモリ９に格納し、Ｓ４０に進む。Ｓ３２でデコーディング可であれば、メイン処理部１０で音声ストリームを解析する（Ｓ３３）。そして、Ｓ３５で音声ストリームの有無を判定する。Ｓ３５で該当画像ファイルが音声ストリームを持たない場合には、Ｓ３６に進み、「音声無」のステータス情報を該画像ファイルＮｏ．に対応させてメモリ９に格納し、Ｓ４０に進む。Ｓ３５で該当画像ファイルが音声ストリームを持つ場合には、さらにＳ３７で、該音声ストリームがデコーディング可能か、メイン処理部１０がチェックする。Ｓ３７で、デコーディングできれば、Ｓ３９で「音声対応」のステータス情報を該画像ファイルＮｏ．に対応させてメモリ９に格納し、デコーディングできなければ、Ｓ３８で、「音声未対応」のステータス情報を該画像ファイルＮｏ．に対応させてメモリ９に格納し、それぞれＳ４０に進む。Ｓ４０では、動画の該当ファイルＮｏ.を指定して、画像復号処理部６でサムネイル画像を作成させ、メモリ９に格納する。そして、Ｓ４１でインデックス画面分のサムネイルを作成したか判定する。Ｓ４１でＮであれば、Ｓ３２に戻り、Ｙであれば、インデックス画面分のサムネイルを作成したことになるので、Ｓ４２に進む。Ｓ４２では、メイン処理部１０は、メモリ９に格納されているサムネイル画像を画像復号処理部６に供給し、映像/音声出力部７，入力切替ＳＷ２１，映像処理部２２を介して映像表示部２３に例えば図６に示すような動画インデックス画面２０１の表示を行う。このとき、メイン処理部１０は、ＯＳＤ付加部８に動画アイコン２０２を重畳させるように指示し、ＯＳＤ付加部８は、映像/音声出力部７で動画アイコン２０２を重畳させる。また、メイン処理部１０は、メモリ９に格納されている画像ファイルＮｏ．に対応する前記したステータス情報を、対応するサムネイル画像に重畳させる。すなわち、ＯＳＤ付加部８に、ステータス情報に対応したアイコン、例えば「音声未対応」のアイコン２０８，「音声無」のアイコン２０９，「デコーディング不可」のアイコン２１０などを重畳させるように指示し、ＯＳＤ付加部８は、映像処理部２２でこれらのアイコンを各サムネイル画像に対応させて重畳させる。
【００４３】
なお、本実施例では、静止画アイコン１０２や動画アイコン２０２などの仕向地(例えば映像再生装置１が日本向けの装置か米国向けの装置か)によらない共通なアイコンは、映像/音声出力部７で重畳し、仕向地毎に変わる可能性のあるアイコンは映像処理部２２で重畳するようにしている。これにより、開発の効率化を図っている。勿論、アイコン表示ではなく、文字表示の場合には、映像処理部２２で重畳されることになる。
【００４４】
また、本実施例では、映像がデコーディングできる場合のみ音声解析を行うようにしている。しかしながら、これに限定されるものではない。例えば、映像がデコーディングできない場合でも音声解析を行い、その結果、音声有でデコーディングできると判定された場合には、その音声のみ再生できるようにしてもよい。これは、図３のフローを少し改変することにより、容易に実現できる。
【００４５】
また、本実施例では、作成した全サムネイルを表示するようにしたが、これに限定されるものではなく、図３のＳ４２の前に、インデックス画面に表示したいファイルＮｏ.を任意にセットするステップを設け、サムネイルの表示順番の指定や、所望のサムネイルのみの表示を行えるようにしてもよい。
【００４６】
以上述べた処理によって、映像表示部２３に例えば図５に示すような、第１インデックス画面である静止画インデックス画面１０１、あるいは図６に示すような第２インデックス画面である動画インデックス画面２０１が表示される。ユーザーはこのインデックス画面に基づき、リモコンの方向ボタン（後述）を操作して、例えばカーソルを所望のサムネイル画像に合わせることによって所望のサムネイル画像を選択して、決定ボタン（後述）を操作する。これにともない、選択されたサムネイル画像がメモリカード３から読み出され、画像復号処理部６で復号されて、映像/音声出力部７，入力切替ＳＷ２１，映像処理部２２を介して映像表示部２３に表示される。
【００４７】
以上のように、本実施例による映像再生装置では、インデックス画面の各サムネイル画像に対応して重畳されたアイコン情報（勿論文字情報であってもよい）により、想定外ファイル、映像デコーディング未対応ファイル、音声ストリームなしファイル、映像はデコーディング可能だが音声デコーディング未対応ファイル、等をユーザーが明確に区別することが出来る。また、動画ファイルの映像と音声のいずれか一方のフォーマットに対応している場合であっても、対応した一方のフォーマットの映像あるいは音声の再生を行うことができる。
【実施例２】
【００４８】
次に、本発明の実施例２について、図７を用いて説明する。
【００４９】
従来の映像再生装置においても、図１のブロック概略構成と同様に、一般に、記録媒体の再生機能のみならず、ＴＶ放送の受信機能や、例えばＶＴＲなどの複数の外部入力を有し、ユーザー操作に基づいて、記録媒体再生と受信再生と外部入力映像の再生とを切り替えている。以下、説明の都合上、これらの再生切替を慣用的に入力切替というので「入力切替」と称するものとする。
【００５０】
図７は、実施例２による記録媒体に関する入力切替方法を説明する図である。なお、図７において、図５，図６に共通な機能を有する要素には同一な符号を付して示し、その重複する説明を省略する。
【００５１】
図７において、リモコン３０上に設けられた入力切替ボタン３１は、チューナ部１３の出力と外部入力端子１２からの外部入力とを切り替えるボタンで、メイン処理部１０は赤外線受光部２０を介して該入力切替ボタン３１の操作を受信すると、受信する毎に（つまり入力切替ボタンの押下に応じて）これらの複数の入力をサイクリックに切り替える。
【００５２】
切替操作部である記録媒体切替ボタン３７は、現在接続されていると見なされる記録媒体内の画像ファイルに基づく静止画のインデックス画面１０１と、動画のインデックス画面２０１と、入力切替ボタン３１で選択された入力の画面（以下、「ラストチャンネル画面」と称する）３０１との間で、押下する毎に静止画のインデックス画面１０１→動画のインデックス画面２０１→ラストチャンネル画面３０１→静止画のインデックス画面１０１→…とサイクリックに画面を切り替えるボタンである。つまり、切替ボタン３７を連続的に操作することによって、表示される画面として、静止画インデックス画面１０１、動画のインデックス画面２０１、ラストチャンネル画面３０１が順次切り替えられる。
【００５３】
左方向ボタン３２，右方向ボタン３３，上方向ボタン３４，下方向ボタン３５は、例えばインデックス画面で一覧表示されたサムネイル画像の内、現在選択されているサムネイル画像を示すカーソル枠（図示せず）を左右上下に移動させるボタンで、これらの方向ボタンを操作して所望のサムネイル画像を選択する。決定ボタン３６は、方向ボタン３２乃至３５で選択されたカーソル枠のサムネイル画像の決定を行う。決定ボタン３６の操作で、方向ボタンにより選択されたサムネイル画像に対応した画像ファイルの再生が行われる。
【００５４】
チャンネルボタン３８は、チューナ部１３の選局を行うボタンで、また、表示されているインデックス画面のサムネイル画像を直接選択できるボタンでもある。サムネイル画像に対応する画像ファイルには、実施例１で述べたように、映像再生装置が決めた規則によって、ナンバリングされている。このナンバ（ファイルNo.）は、複数のサムネイル画像(及びそれに対応する画像ファイル)を識別するための識別番号として機能する。そして、その識別番号としてのファイルNo.は、図７のインデックス画面１０１，２０１に示されるように、サムネイル画像内に表示されている。図７では、わかりやすく表示するために、サムネイル画像範囲外にかけて大きく数字で表示されている。実際は、その数字は１つのサムネイル画像内に収まるように表示されるだろう。例えば、インデックス画面２０１が表示されている場合、数字２のチャンネルボタンを操作することにより、サムネイル一覧表示の左上隅から２番目の位置にあるサムネイル画像２０４が直接選択され、これにより、選択されたサムネイル画像２０４に対応した動画の画像ファイル（ファイルＮｏ．２）の再生が行われることになる。すなわち、本実施例では、静止画インデックス画面及び動画インデックス画面が表示されている場合には、リモコン３０に設けられたチャンネル番号を操作することにより、直接的に所望のサムネイル画像（つまり画像ファイル）を選択することができる。つまり、リモコン３０上のチャンネルボタンを操作することで、そのチャンネルボタンで入力された数値に対応するファイルNo.(識別番号)を持つサムネイル画像を選択できる。通常、リモコン３０のチャンネルボタンを押すと、そのチャンネル番号のチャンネルを選局するが、本実施例では、静止画インデックス画面及び動画インデックス画面が表示されている間は、その選局動作が禁止される。すなわち、静止画インデックス画面及び動画インデックス画面が表示されている間は、チャンネルボタンによる選局ができなくされる。
【００５５】
リターンボタン３９は、記録媒体切替ボタン３７とは逆方向に、そのインデックス画面をサイクリックに切り替えるボタンである。例えば、今、動画のインデックス画面２０１が表示されている場合に、リターンボタン３９が操作されると、静止画のインデックス画面１０１の表示がなされる。
【００５６】
本実施例による映像再生装置は、リモコン３０上に設けているボタンの押下で、上記のように機能する。
【００５７】
すなわち、記録媒体に関する入力切替は、記録媒体切替ボタン３７で、押下する毎に、図７に示すように、静止画のインデックス画面１０１と動画のインデックス画面２０１とラストチャンネル画面３０１との間で所定方向にサイクリックに切り替わる。これにより、例えばメニュー画面での選択動作がなくなり、記録媒体切替ボタン３７の押下で直ちに記録媒体のインデックス画面に切り替えることができる。また、ラストチャンネル画面を含めてインデックス画面をサイクリックに切り替えるので、一つの入力切替ボタンで何回も押下することなく、記録媒体に切り替える以前の状態（ラストチャンネル画面）に容易にそして簡単に戻すことができる。
【００５８】
また、ファイルナンバリングを用いて、チャンネルボタン３８で直接サムネイル画像に対応した画像ファイルを直接選択することができ、操作が簡単となる。
【実施例３】
【００５９】
次に、本発明による実施例３について、図８〜図１０を用いて説明する。
【００６０】
図８は従来におけるインデックス画面と画面垂直方向の輝度変化とを示す図、図９は従来におけるインデックス画面の見え方を示す図、図１０は実施例３によるインデックス画面と画面垂直方向の輝度変化とを示す図である。
【００６１】
図８（１）のように、従来、インデックス画面１１１は、通常グレーや青などの単色の背景画面１１２にサムネイル画像１５１を表示することが多い。通常サムネイル画像１５１の平均輝度レベルは４０％程度である。その場合における画面垂直方向の輝度変化を図８（２）に示す。図８（２）に示すように、画面垂直（以下、「Ｖ」と省略する）方向の輝度レベル差が、背景画面１１２のグレーバック部分とサムネイル画像１５１部分で大きい。
【００６２】
このような場合、映像表示部２３の表示デバイスとして、例えばＰＤＰ（Plasma Display Panel）やＣＲＴ（Cathode Ray Tube）が用いられると、パネルが持つストリーキング特性によって、垂直方向の輝度差が生じることになる。つまり、映像表示部２３での見え方は、図８（１）ではなく、図９のように、サムネイル画像１５１がある部分のＨラインの明るさが抑制されて、サムネイル画像１５１が無い部分のＨラインが、サムネイル画像１２１がある部分のＨラインよりも明るい筋１１５となって表示されてしまう。そこで従来は、インデックス画面１１１の背景画面１１２の輝度レベルを極端に低くして、輝度レベル浮きを目立たないようにしていた。従って、デザイン的に制約されたインデックス画面しか、ユーザーに提供できなかった。
【００６３】
このような実情に鑑みて、実機で平均輝度レベル４０％単色のサムネイルをインデック画面に表示して実験してみると、特に背景画面の輝度レベルを４８％以上にした場合に、顕著に筋が目立つようになった。
【００６４】
表示デバイスによってレベル差は異なるので、マージンを考慮し、本実施例では、インデックス画面Ｖ方向におけるサムネイル画像の平均輝度に対する背景画面の輝度変化が、サムネイル画像の平均輝度に対して例えば１０％以内となるようにする。
【００６５】
すなわち、図１０（１）に示すインデックス画面１２１の背景画面１２２の輝度レベルを、図１０（３）に示すように、サムネイル画像１５１の平均輝度レベルである例えば４０％を基準にして、±１０％以内となるようにする。このようにすることによって、サムネイル画像に対する背景画面の輝度レベル差を減らして、輝度レベル浮きを押さえることができる。
【００６６】
さらに、上記した輝度レベル差をなくすとともに、図１０（２）に示すように、背景画面１２２のデザインをサムネイル画像間の間隔よりも細かい横線の明暗のあるデザインとすることによって、より輝度浮きを目立たなくすることが出来る。これにともない、単色の背景画面よりもデザインの制約を大幅に改善することができる。
【００６７】
勿論、背景画面１２２のデザインをサムネイル画像間の間隔よりも細かい横線の明暗のあるデザインとする事のみでも、背景画面１２２の輝度レベルとサムネイル画像１５１の平均輝度レベルとの差が大きくても、図９で示した明るい筋１１５を目立たなくすることができることはいうまでもない。
【図面の簡単な説明】
【００６８】
【図１】実施例１による映像再生装置の基本構成図。
【図２】実施例１によるインデックス表示処理の第１のフローを示す図。
【図３】実施例１によるインデックス表示処理の第２のフローを示す図。
【図４】実施例１における記録媒体に保存されているファイルフォーマットの種類。
【図５】実施例１における静止画インデックス画面。
【図６】実施例１における動画インデックス画面。
【図７】実施例２における静止画インデックス画面、動画インデックス画面、ラストチャンネル画面の切替方法。
【図８】従来におけるインデックス画面と画面垂直方向の輝度変化とを示す図。
【図９】従来におけるインデックス画面の実際の見え方。
【図１０】実施例３によるインデックス画面と画面垂直方向の輝度変化とを示す図。
【符号の説明】
【００６９】
１…映像再生装置、２…ＵＳＢ入力端子、３…メモリカード、４…光ディスクドライブ部、５…Ｉ／Ｆ部、６…画像復号処理部、７…映像/音声出力部、８…ＯＳＤ付加部、９…メモリ、１０…メイン処理部、１１…アンテナ、１２…外部入力端子、１３…チューナ部、１４…入力切替ＳＷ、１５…デコード処理部、１８…バスライン、２０…赤外線受光部、２１…入力切替ＳＷ、２２…映像処理部、２３…映像表示部、２９…リモコン信号、３０…リモコン、３１…入力切替ボタン、３２，３３，３４，３５…方向ボタン、３６…決定ボタン、３７…記録媒体切替ボタン、３８…チャンネルボタン、３９…リターンボタン、１０１…静止画インデックス画面、１０２…静止画アイコン、１０３，１０４…サムネイル画像、１１１…インデックス画面、１１２…背景画面、１１５…明るい筋、１２１…インデックス画面、１２２…背景画面、１５１…サムネイル画像、２０１…動画インデックス画面、２０２…動画アイコン、２０３〜２０７…サムネイル画像、２０８〜２１０…アイコン、３０１…ラストチャンネル画面。
【図１】
0004600203.tif 000002
【図２】
0004600203.tif 000003
【図３】
0004600203.tif 000004
【図４】
0004600203.tif 000005
【図５】
0004600203.tif 000006
【図６】
0004600203.tif 000007
【図７】
0004600203.tif 000008
【図８】
0004600203.tif 000009
【図９】
0004600203.tif 000010
【図１０】
0004600203.tif 000011